Podtech/llm-jp-corpus-v4-ja_patent huggingface dataset:
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
ユーザ機器(UE)のワイヤレス通信の方法であって、
基地局から受信された基本復調基準信号(DM-RS)シーケンスに対応するインデックス、または前記基本DM-RSシーケンスに対応する事前構成されたインデックスに基づいて、車両対車両通信のための制御チャネルについての基本DM-RSシーケンスを決定するステップと、
前記基本DM-RSシーケンスおよび前記UEの識別情報に基づいてDM-RSシーケンスを決定するステップと、
前記DM-RSシーケンスを使用して、サブフレームにおいて前記制御チャネル内で複数のDM-RSシンボルを送信するステップであって、各DM-RSシンボルが前記DM-RSシーケンスを使用する、ステップとを備える、方法。
【請求項２】
前記制御チャネルが物理サイドリンク制御チャネル(PSCCH)である、請求項1に記載の方法。
【請求項３】
前記UEの前記識別情報が一時的移動体加入者識別番号(TMSI)である、請求項1に記載の方法。
【請求項４】
前記複数のDM-RSシンボルが4つのDM-RSシンボルを含む、請求項1に記載の方法。
【請求項５】
前記複数のDM-RSシンボルに[1 1 1 1]という直交シーケンスを乗ずるステップをさらに備える、請求項4に記載の方法。
【請求項６】
前記DM-RSシーケンスが前記基本DM-RSシーケンスの巡回シフトされたバージョンである、請求項1に記載の方法。
【請求項７】
前記DM-RSシーケンスが、前記UEの前記識別情報に基づいて前記基本DM-RSシーケンスのすべての巡回シフトされたバージョンの部分集合から選択される、請求項6に記載の方法。
【請求項８】
前記部分集合のサイズが4である、請求項7に記載の方法。
【請求項９】
ユーザ機器(UE)である、ワイヤレス通信のための装置であって、
メモリと、
前記メモリに結合された少なくとも1つのプロセッサとを備え、前記プロセッサが、
基地局から受信された基本復調基準信号(DM-RS)シーケンスに対応するインデックス、または前記基本DM-RSシーケンスに対応する事前構成されたインデックスに基づいて、車両対車両通信のための制御チャネルについての基本DM-RSシーケンスを決定することと、
前記基本DM-RSシーケンスおよび前記UEの識別情報に基づいてDM-RSシーケンスを決定することと、
前記DM-RSシーケンスを使用して、サブフレームにおいて前記制御チャネル内で複数のDM-RSシンボルを送信することであって、各DM-RSシンボルが前記DM-RSシーケンスを使用する、送信することと
を行うように構成される、装置。
【請求項１０】
前記UEの前記識別情報が一時的移動体加入者識別番号(TMSI)である、請求項9に記載の装置。
【請求項１１】
前記少なくとも1つのプロセッサがさらに、前記複数のDM-RSシンボルに[1 1 1 1]という直交シーケンスを乗ずるように構成される、請求項9に記載の装置。
【請求項１２】
前記DM-RSシーケンスが、前記UEの前記識別情報に基づいて前記基本DM-RSシーケンスのすべての巡回シフトされたバージョンの部分集合から選択される、請求項9に記載の装置。
【請求項１３】
前記部分集合のサイズが4である、請求項12に記載の装置。
【請求項１４】
前記UEにおけるプロセッサにおいて実行されたときに、請求項1から8のうちのいずれか一項に記載の方法を前記UEに実行させる命令を備える、コンピュータ可読記録媒体。
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
連続データストリームを処理するための方法であって、
コンピューティングデバイスが、アプリケーションに関する前記連続データストリームを受信するステップと、
前記コンピューティングデバイスが、前記連続データストリームのジオメトリをリレーションに変換するステップと、
前記コンピューティングデバイスが、前記連続データストリームに含まれる複数の移動オブジェクトを追跡するステップと、
前記コンピューティングデバイスが、前記リレーションおよび前記連続データストリームのジオメトリに少なくとも基づいて、前記複数の移動オブジェクトに含まれる、少なくとも第１の移動オブジェクトと第２の移動オブジェクトとの近接を判断するステップと、
前記コンピューティングデバイスが、少なくとも前記第１の移動オブジェクトと前記第２の移動オブジェクトとの前記近接が予め定められた閾値を超えた場合、アラートを生成するステップとを含む、方法。
【請求項２】
前記リレーションは、前記連続データストリームのジオメトリの空間インデックスを含む、請求項１に記載の方法。
【請求項３】
前記コンピューティングデバイスが、範囲を用いて前記空間インデックスにフィルタを適用して前記連続データストリームのジオメトリについてのフィルタ処理された結果を取得するステップをさらに含み、前記近接を判断するステップは、前記フィルタ処理された結果を用いて前記第１の移動オブジェクトと前記第２の移動オブジェクトとの距離を算出するステップを含む、請求項２に記載の方法。
【請求項４】
前記コンピューティングデバイスが、前記連続データストリームのジオメトリに変更があるかどうかを判断するステップと、前記コンピューティングデバイスが、前記連続データストリームのジオメトリに変更があった場合、更新イベントを発行するステップとをさらに含む、請求項３に記載の方法。
【請求項５】
前記更新イベントは、挿入操作、削除操作、および更新操作をサポートするメモリ内キャッシュ上で発行される、請求項４に記載の方法。
【請求項６】
結合演算を用いて前記コンピューティングデバイスが、前記リレーションと前記連続データストリームのジオメトリとを結合するステップをさらに含む、請求項２〜５のいずれか１項に記載の方法。
【請求項７】
前記追跡するステップは、少なくとも前記第１の移動オブジェクトの前記第２の移動オブジェクトに対する関係を追跡するための空間演算を用いて実行される、請求項６に記載の方法。
【請求項８】
コンピュータによって実行可能な命令を格納するように構成されたメモリと、
前記メモリにアクセスして前記コンピュータによって実行可能な命令を実行するように構成されたプロセッサとを備え、前記コンピュータによって実行可能な命令は、
アプリケーションに関する連続データストリームを受信するための命令と、
前記連続データストリームのジオメトリをリレーションに変換するための命令と、
前記連続データストリームに含まれる複数の移動オブジェクトを追跡するための命令と、
前記リレーションおよび前記連続データストリームのジオメトリに少なくとも基づいて、前記複数の移動オブジェクトに含まれる、少なくとも第１の移動オブジェクトと第２の移動オブジェクトとの近接を判断するための命令と、
少なくとも前記第１の移動オブジェクトと前記第２の移動オブジェクトとの前記近接が予め定められた閾値を超えた場合、アラートを生成するための命令とを含む、システム。
【請求項９】
コンピュータによって実行可能なコードを格納したコンピュータ読み取り可能なプログラムであって、前記コンピュータによって実行可能なコードは、プロセッサによって実行されると、前記プロセッサに動作を行わせ、前記動作は、
アプリケーションに関する第１の連続データストリームを受信することと、
前記第１の連続データストリームのジオメトリをリレーションに変換することと、
前記第１の連続データストリームに含まれる複数の移動オブジェクトを追跡することと、
前記アプリケーションに関する第２の連続データストリームを受信することと、
前記リレーションおよび前記第２の連続データストリームのジオメトリに少なくとも基づいて、少なくとも前記複数の移動オブジェクトに含まれる移動オブジェクトと前記第２の連続データストリームに含まれるオブジェクトとの関係をチェックすることと、
前記関係が予め定められた基準を満たす場合、前記移動オブジェクトのプロパティを設定することとを含む、コンピュータ読み取り可能なプログラム。
【請求項１０】
前記関係をチェックすることは、前記リレーションおよび前記第２の連続データストリームのジオメトリに少なくとも基づいて、少なくとも前記複数の移動オブジェクトに含まれる前記移動オブジェクトと前記第２の連続データストリームに含まれる前記オブジェクトとの近接を判断することを含む、請求項９に記載のコンピュータ読み取り可能なプログラム。
【請求項１１】
少なくとも前記複数の移動オブジェクトに含まれる前記移動オブジェクトと前記第２の連続データストリームに含まれる前記オブジェクトとの前記近接が予め定められた閾値を超えた場合、前記移動オブジェクトのプロパティが設定される、請求項１０に記載のコンピュータ読み取り可能なプログラム。
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
アイデンティティクラウドサービス（ＩＤＣＳ）のためのテナントおよびサービス管理を提供する方法であって、前記方法は、
テナントのためのＩＤＣＳサービスインスタンスを作成することを求める要求を、テナント自動化システム（ＴＡＳ）から、ネットワークを介して受けるステップと、
前記ＩＤＣＳサービスインスタンスを、タスクオーケストレータと複数の同期タスクとを含むタスク実行フレームワークを用いて作成するステップとを含み、前記タスクオーケストレータは、前記タスクをインスタンス化し、前記タスクを制御し、前記要求に対する応答を生成し、前記方法はさらに、
前記テナントのためのＩＤＣＳサービスインスタンスが作成されたことを示す前記応答を、前記ネットワークを介して前記ＴＡＳに送るステップを含む、方法。
【請求項２】
前記ＩＤＣＳサービスインスタンスは、アドミニストレータによるマニュアル介入を受けることなく作成される、請求項１に記載の方法。
【請求項３】
前記応答はテナント固有のデータを含む、請求項１または２に記載の方法。
【請求項４】
前記ＩＤＣＳサービスインスタンスを作成することは、ロードバランシングポリシーを構成することと、ルーティング統一資源位置指定子（ＵＲＬ）を作成することと、前記テナントのためのネームスペースをプロビジョニングすることとを含む、請求項１〜３のいずれか１項に記載の方法。
【請求項５】
前記ルーティングＵＲＬは、パーマネントＵＲＬ、フレンドリーＵＲＬ、およびバニティＵＲＬを含む、請求項４に記載の方法。
【請求項６】
前記ＩＤＣＳサービスインスタンスは、予め作成された複数のスキーマのうちの１つのスキーマを用いて作成される、請求項２に記載の方法。
【請求項７】
前記タスク実行フレームワークを用いて前記ＩＤＣＳサービスインスタンスをアップグレードするステップをさらに含み、前記アップグレードは、前記テナントに関連付けられたアーティファクトのアップグレードを含む、請求項１〜６のいずれか１項に記載の方法。
【請求項８】
アイデンティティクラウドサービス（ＩＤＣＳ）のためのテナントおよびサービス管理を提供するためのシステムであって、前記システムは、
メモリと、
前記メモリとネットワークとに結合されたプロセッサとを備え、前記プロセッサは、
テナントのためのＩＤＣＳサービスインスタンスを作成することを求める要求を、テナント自動化システム（ＴＡＳ）から、ネットワークを介して受けるように構成され、
前記ＩＤＣＳサービスインスタンスを、タスクオーケストレータと複数の同期タスクとを含むタスク実行フレームワークを用いて作成するように構成され、前記タスクオーケストレータは、前記タスクをインスタンス化し、前記タスクを制御し、前記要求に対する応答を生成し、前記プロセッサはさらに、
前記テナントのためのＩＤＣＳサービスインスタンスが作成されたことを示す前記応答を、前記ネットワークを介して前記ＴＡＳに送るように構成される、システム。
【請求項９】
請求項１〜７のいずれか１項に記載の方法をプロセッサに実行させるためのコンピュータ読取可能プログラム。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
対象から取得したサンプルから喫煙ステータスを予測するための、コンピュータ実装された方法であって、
少なくとも一つのハードウェアプロセッサを含むコンピュータシステムによって、前記サンプルと関連付けられるデータセットを受け取ることであって、前記データセットは、全ゲノムより少ない遺伝子のセットに対する定量的な発現データを含み、前記遺伝子のセットは、ＡＨＲＲ、ＣＤＫＮ１Ｃ、ＬＲＲＮ３、ＰＩＤ１、ＧＰＲ１５、ＳＡＳＨ１、ＣＬＥＣ１０Ａ、ＬＩＮＣ００５９９、Ｐ２ＲＹ６、ＤＳＣ２、Ｆ２Ｒ、ＳＥＭＡ６ＢおよびＴＬＲ５を含む、受け取ることと、
前記少なくとも一つのハードウェアプロセッサによって、前記受け取ったデータセットの中の前記遺伝子のセットに対する前記定量的な発現データに基づいてスコアを生成することであって、前記スコアは、４０個より少ない遺伝子に基づき、前記対象の予測される喫煙ステータスを示す、生成することと、
前記スコアに基づいて、前記対象の予測される喫煙ステータスを決定することと、を含む、コンピュータ実装された方法。
【請求項２】
前記遺伝子のセットは更に、ＡＫ８、ＦＳＴＬ１、ＲＧＬ１およびＶＳＩＧ４を含む、請求項１に記載のコンピュータ実装された方法。
【請求項３】
前記遺伝子のセットは更に、Ｃ１５ｏｒｆ５４、ＣＴＴＮＢＰ２、ＲＡＮＫ１、ＧＳＥ１、ＧＵＣＹ１Ａ３、ＬＯＣ２００７７２、ＭＡＲＣ２、ＭＩＲ４６９７ＨＧおよびＰＴＧＦＲＮを含む、請求項１〜２のいずれかに記載のコンピュータ実装された方法。
【請求項４】
前記スコアは、前記データセットに適用される分類スキームの結果であり、前記分類スキームは、前記データセットの中の前記定量的な発現データに基づいて決定される、請求項１〜３のいずれかに記載のコンピュータ実装された方法。
【請求項５】
ＡＨＨＲ、ＣＤＫＮ１Ｃ、ＬＲＲＮ３、ＰＩＤ１、ＧＰＲ１５、ＳＡＳＨ１、ＣＬＥＣ１０Ａ、ＬＩＮＣ００５９９、Ｐ２ＲＹ６、ＤＳＣ２、Ｆ２Ｒ、ＳＥＭＡ６ＢおよびＴＬＲ５の各々に対して、倍率変化値を演算することを更に含む、請求項１〜４のいずれかに記載のコンピュータ実装された方法。
【請求項６】
各演算された倍率変化値のそれぞれが、少なくとも二つの独立した母集団データセットに対する所定の閾値を超えることを要する少なくとも一つの基準を、各倍率変化値が満たすと決定することを更に含む、請求項５に記載のコンピュータ実装された方法。
【請求項７】
前記遺伝子のセットは、ＡＨＨＲ、ＣＤＫＮ１Ｃ、ＬＲＲＮ３、ＰＩＤ１、ＧＰＲ１５、ＳＡＳＨ１、ＣＬＥＣ１０Ａ、ＬＩＮＣ００５９９、Ｐ２ＲＹ６、ＤＳＣ２、Ｆ２Ｒ、ＳＥＭＡ６ＢおよびＴＬＲ５から成る、請求項１に記載のコンピュータ実装された方法。
【請求項８】
少なくとも一つのプロセッサを備えるコンピュータ化したシステムで実行されるとき、請求項１〜７のいずれかに記載の前記方法の一つ以上の工程を前記プロセッサに実施させる、コンピュータ可読指示を含む、コンピュータプログラム製品。
【請求項９】
個人の喫煙者ステータスを予測するためのキットであって、
４０個より少ない遺伝子を有する遺伝子シグネチャにおいて、遺伝子の発現レベルを検出するように構成された試薬のセットであって、前記遺伝子シグネチャは、試験サンプルの中にＡＨＨＲ、ＣＤＫＮ１Ｃ、ＬＲＲＮ３、ＰＩＤ１、ＧＰＲ１５、ＳＡＳＨ１、ＣＬＥＣ１０Ａ、ＬＩＮＣ００５９９、Ｐ２ＲＹ６、ＤＳＣ２、Ｆ２Ｒ、ＳＥＭＡ６ＢおよびＴＬＲ５を含む、試薬のセットを備えるキット。
【請求項１０】
前記遺伝子シグネチャは、さらに、ＡＫ８、ＦＳＴＬ１、ＲＧＬ１およびＶＳＩＧ４を含む、請求項９に記載のキット。
【請求項１１】
前記遺伝子シグネチャは、さらに、Ｃ１５ｏｒｆ５４、ＣＴＴＮＢＰ２、ＲＡＮＫ１、ＧＳＥ１、ＧＵＣＹ１Ａ３、ＬＯＣ２００７７２、ＭＡＲＣ２、ＭＩＲ４６９７ＨＧおよびＰＴＧＦＲＮを含む、請求項９又は１０に記載のキット。
【請求項１２】
喫煙製品の代替品の前記個人に対する効果を評価するために使用される、請求項９から１１のいずれか一つに記載のキット。
【請求項１３】
前記喫煙製品の前記代替品は、加熱煙草製品である、請求項１２に記載のキット。
【請求項１４】
前記代替品の前記個人に対する前記効果は、前記個人を非喫煙者として分類する、請求項１０から１２のいずれか一つに記載のキット。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
データを送信する方法であって、
インタフェースデバイスによって、事前に生成されたネットワークリモート通信コマンドを中央処理装置から受信することであって、前記事前に生成されたネットワークリモート通信コマンドは、保留中のｐｕｔコマンドによって指定されたメッセージを送信する前に待機するトリガの数を示す閾値を含む、ことと、
前記インタフェースデバイスによって、データがメモリ内で準備できていることを示す信号をグラフィックス処理装置から受信することであって、前記信号はトリガを含む、ことと、
前記グラフィックス処理装置から前記トリガを受信した後に、前記インタフェースデバイスが受信したトリガの数が、前記事前に生成されたネットワークリモート通信コマンドに含まれる前記閾値と一致することを判別することと、
前記判別したことに応じて、前記インタフェースデバイスによって、前記信号に基づいて、前記事前に生成されたネットワークリモート通信コマンドを実行し、ネットワークを介して前記データをターゲットデバイスに送信することと、を含む、
方法。
【請求項２】
前記事前に生成されたネットワークリモート通信コマンドは、ｐｕｔコマンドを含む、
請求項１の方法。
【請求項３】
前記信号は、カウンタ変数の値の変化を示している、
請求項１の方法。
【請求項４】
前記事前に生成されたネットワークリモート通信コマンドは、カウンタ変数の閾値を含む、
請求項１の方法。
【請求項５】
前記事前に生成されたネットワークリモート通信コマンドは、前記メモリ内のアドレスへのポインタを含む、
請求項１の方法。
【請求項６】
前記事前に生成されたネットワークリモート通信コマンドは、前記ターゲットデバイスを示す情報を含む、
請求項１の方法。
【請求項７】
前記情報は、メタデータを含む、
請求項６の方法。
【請求項８】
前記インタフェースデバイスは、ネットワークインタフェースコントローラ（ＮＩＣ）を備える、
請求項１の方法。
【請求項９】
データを送信するデバイスであって、
事前に生成されたネットワークリモート通信コマンドを中央処理装置から受信するように構成された受信機回路であって、前記事前に生成されたネットワークリモート通信コマンドは、保留中のｐｕｔコマンドによって指定されたメッセージを送信する前に待機するトリガの数を示す閾値を含み、前記受信機回路は、データがメモリ内で準備できていることを示す信号であってトリガを含む信号をグラフィックス処理装置から受信するように構成されている、受信機回路と、
前記受信機回路が前記グラフィックス処理装置から前記トリガを受信した後に、前記受信機回路が受信したトリガの数が、前記事前に生成されたネットワークリモート通信コマンドに含まれる前記閾値と一致することを判別し、判別したことに応じて、前記信号に基づいて、前記事前に生成されたネットワークリモート通信コマンドを実行するように構成されたプロセッサ回路と、
前記事前に生成されたネットワークリモート通信コマンドに基づいて、ネットワークを介して前記データをターゲットデバイスに送信するように構成された送信機回路と、を備える、
デバイス。
【請求項１０】
前記事前に生成されたネットワークリモート通信コマンドは、ｐｕｔコマンドを含む、
請求項９のデバイス。
【請求項１１】
前記信号は、カウンタ変数の値の変化を示している、
請求項９のデバイス。
【請求項１２】
前記事前に生成されたネットワークリモート通信コマンドは、カウンタ変数の閾値を含む、
請求項９のデバイス。
【請求項１３】
前記事前に生成されたネットワークリモート通信コマンドは、前記メモリ内のアドレスへのポインタを含む、
請求項９のデバイス。
【請求項１４】
前記事前に生成されたネットワークコリモート通信マンドは、前記ターゲットデバイスを示す情報を含む、
請求項９のデバイス。
【請求項１５】
前記情報は、メタデータを含む、
請求項１４のデバイス。
【請求項１６】
前記インタフェースデバイスは、ネットワークインタフェースコントローラ（ＮＩＣ）を備える、
請求項９のデバイス。
【請求項１７】
データを送信するシステムであって、
中央処理装置（ＣＰＵ）と、
グラフィックス処理装置（ＧＰＵ）と、を備え、
前記ＣＰＵは、複数の事前に生成されたネットワークリモート通信コマンドを生成するように構成された処理回路と、前記事前に生成されたネットワークリモート通信コマンドをインタフェースデバイスに送信するように構成された送信機回路であって、前記事前に生成されたネットワークリモート通信コマンドは、保留中のｐｕｔコマンドによって指定されたメッセージを送信する前に待機するトリガの数を示す閾値を含む、送信機回路と、を備え、
前記ＧＰＵは、ネットワークを介してターゲットデバイスに送信するためのデータを生成するように構成された処理回路と、前記データをバッファに記憶するように構成された記憶回路と、前記インタフェースデバイスが、前記事前に生成された複数のネットワークリモート通信コマンドのうち１つのネットワークリモート通信コマンドを実行するように、前記データが前記バッファに記憶されたことを前記インタフェースデバイスに知らせるように構成された送信機回路と、を備える、
システム。
【請求項１８】
前記ＣＰＵ及び前記ＧＰＵは、単一のダイ上に配置されている、
請求項１７のシステム。
【請求項１９】
前記ＣＰＵ及び前記ＧＰＵは、同じパッケージ内に配置されている、
請求項１７のシステム。
【請求項２０】
前記インタフェースデバイスは、ネットワークインタフェースコントローラ（ＮＩＣ）を備える、
請求項１７のシステム。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
−  少なくとも２つの集約レベル、すなわち、最低集約レベルと、最高集約レベルと、選択的には最低集約レベルと最高集約レベルとの間のさらなる集約レベルと、にある複数のオブジェクトを提供するステップであって、
各オブジェクトは一意の識別子を有し、
より高い集約レベルで１つのオブジェクトにまとめられるオブジェクトは子オブジェクトと呼ばれ、
より低い集約レベルの子オブジェクトが関連付けられるオブジェクトは親オブジェクトと呼ばれる、
ステップと、
−  送り手から受け手に前記オブジェクトを送付するステップと、
−  各親オブジェクトについて、関連付けられた子オブジェクトに基づいて前記送り手および前記受け手により複数のハッシュコードを生成するステップであって、
ハッシュコードは、親オブジェクトの一意の識別子に基づいて、かつ、
（ａ）関連付けられた子オブジェクトが前記最低集約レベルにある場合には、子オブジェクトの一意の識別子に基づいて、
（ｂ）子オブジェクトが前記最低集約レベルより上の集約レベルにある場合には、子オブジェクトについて生成されたハッシュコードに基づいて、
生成されるステップと、
−  前記送り手および前記受け手により生成されたより高い集約レベルの、好ましくは前記最高集約レベルの、オブジェクトの前記ハッシュコードを照合するステップと、
を含む方法。
【請求項２】
前記ハッシュコードが生成されるとき、組み込まれる識別子および組み込まれるハッシュコードは昇順もしくは降順で並べ替えられ、それぞれのハッシュコードが生成された前記オブジェクトの前記識別子は、並べ替えられたシーケンスの前もしくは後に置かれる、ことを特徴とする請求項１に記載の方法。
【請求項３】
前記オブジェクトは、商品、好ましくは医薬品である、ことを特徴とする請求項１または２に記載の方法。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
遺伝子改変免疫不全非ヒト動物であって、そのゲノムが、前記非ヒト動物に投与されたときのヒト赤血球の生存が延長されるように、前記非ヒト動物のマクロファージおよび／またはマクロファージ抗ヒト赤血球活性を欠損させる遺伝子改変を含む、遺伝子改変免疫不全非ヒト動物。
【請求項２】
前記非ヒト動物は、そのゲノムが、前記非ヒト動物のマクロファージおよび／またはマクロファージ抗ヒト赤血球活性を欠損させる遺伝子改変を含む、ＮＲＧマウス、ＮＳＧマウスまたはＮＯＧマウスである、請求項１に記載の遺伝子改変免疫不全非ヒト動物。
【請求項３】
前記遺伝子改変は、前記非ヒト動物が機能的リソソーム輸送レギュレータータンパク質を発現せず、前記非ヒト動物のマクロファージおよび／またはマクロファージ抗ヒト赤血球活性を欠損させるようなリソソーム輸送レギュレーター遺伝子の変異である、請求項１または２に記載の遺伝子改変免疫不全非ヒト動物。
【請求項４】
前記非ヒト動物が、Ｌｙｓｔｎｕｌｌ免疫不全マウスである、請求項１〜３のいずれか一項に記載の遺伝子改変免疫不全非ヒト動物。
【請求項５】
前記非ヒト動物が、ベージュ変異Ｌｙｓｔｂｇについてホモ接合であるＮＯＤ．Ｃｇ−ＰｒｋｄｃｓｃｉｄＩｌ２ｒｇｔｍ１Ｗｊｌ／ＳｚＪマウス；ＮＯＤ．Ｃｇ−ＰｒｋｄｃｓｃｉｄＩｌ２ｒｇｔｍ１Ｗｊｌ／Ｌｙｓｔ＜ｅｍ１Ｍｖｗ＞／Ｓｚ（ＮＳＧ  Ｌｙｓｔノックアウト）マウス；またはＮＯＤ．Ｃｇ−Ｒａｇ１ｔｍ１ＭｏｍＩｌ２ｒｇｔｍ１Ｗｊｌ／ＳｚＪマウスである、請求項４に記載の遺伝子改変免疫不全非ヒト動物。
【請求項６】
前記非ヒト動物が免疫不全マウスであり、前記遺伝子改変は、前記マウスがヒトＣＤ４７タンパク質を発現するようにヒトＣＤ４７をコードする導入遺伝子を含み、かつ前記マウスが機能的マウスＣＤ４７タンパク質を発現せず、前記マウスのマクロファージおよび／またはマクロファージ抗ヒト赤血球活性を欠損させるようにマウスＣＤ４７遺伝子の変異をさらに含む、請求項１または２に記載の遺伝子改変免疫不全非ヒト動物。
【請求項７】
前記非ヒト動物がＮＳＧ、ＮＲＧ、またはＮＯＧマウスであり、前記遺伝子改変は、ヒトＣＤＣ４７をコードする導入遺伝子を含み、かつ前記非ヒト動物が機能的マウスＣＤ４７タンパク質を発現せず、前記非ヒト動物のマクロファージおよび／またはマクロファージ抗ヒト赤血球活性を欠損させるようにマウスＣＤ４７遺伝子の変異をさらに含む、請求項６に記載の遺伝子改変免疫不全非ヒト動物。
【請求項８】
前記非ヒト動物が、ＮＯＤ．Ｃｇ−Ｐｒｋｄｃ＜ｓｃｉｄ＞Ｃｄ４７＜ｔｍ１Ｆｐｌ＞Ｉｌ２ｒｇ＜ｔｍ１Ｗｊｌ＞Ｔｇ（ＣＤ４７）２Ｓｚ／Ｓｚ（ＮＳＧ  Ｃｄ４７  ＫＯヒトＣＤ４７Ｔｇ）マウスである、請求項６に記載の遺伝子改変免疫不全非ヒト動物。
【請求項９】
前記非ヒト動物がマウスであり、前記マウスが、ヌクレオシドアナログと組み合わせると前記非ヒト動物のマクロファージを欠損させる単純ヘルペスウイルス１チミジンキナーゼタンパク質を発現するように、前記遺伝子改変が単純ヘルペスウイルス１チミジンキナーゼをコードする導入遺伝子を含む、請求項１または２に記載の遺伝子改変免疫不全非ヒト動物。
【請求項１０】
前記ヌクレオシドアナログが、ガンシクロビル、アシクロビルまたはその組み合わせである、請求項９に記載の遺伝子改変免疫不全非ヒト動物。
【請求項１１】
前記遺伝子改変免疫不全非ヒト動物の前記ゲノムにおいてＬｙｓｔ遺伝子のエキソン５からの２５ｂｐ配列：ＧＡＧＣＣＧＧＴＡＧＣＴＴＴＧＧＴＴＣＡＡＣＧＧＡ（配列番号１）の欠失を含む、請求項１〜３のいずれか一項に記載の遺伝子改変免疫不全非ヒト動物。
【請求項１２】
前記動物がマウスである、請求項１〜１１のいずれか一項に記載の遺伝子改変免疫不全非ヒト動物。
【請求項１３】
前記非ヒト動物の血液系に投与されるヒト赤血球をさらに含む、請求項１〜１２のいずれか一項に記載の遺伝子改変免疫不全非ヒト動物。
【請求項１４】
生着したヒト造血細胞をさらに含む、請求項１〜１３のいずれか一項に記載の遺伝子改変免疫不全非ヒト動物。
【請求項１５】
前記非ヒト動物において、ヒト赤血球が、そのゲノムが前記遺伝子改変を含まない同じタイプの免疫不全非ヒト動物よりも長く生存する、請求項１〜１４のいずれか一項に記載の遺伝子改変免疫不全非ヒト動物。
【請求項１６】
ヒト赤血球が感染因子に感染している、請求項１〜１５のいずれか一項に記載の遺伝子改変免疫不全非ヒト動物。
【請求項１７】
ヒト赤血球に感染可能な感染因子の投与をさらに含む、請求項１〜１６のいずれか一項に記載の遺伝子改変免疫不全非ヒト動物。
【請求項１８】
前記感染因子が、プラスモディウム属寄生生物である、請求項１６または１７に記載の遺伝子改変免疫不全非ヒト動物。
【請求項１９】
前記感染因子が、Ｐｌａｓｍｏｄｉｕｍ  ｆａｌｃｉｐａｒｕｍ（Ｐ．ｆａｌｃｉｐａｒｕｍ）、Ｐｌａｓｍｏｄｉｕｍ  ｏｖａｌｅ（Ｐ．ｏｖａｌｅ）、Ｐｌａｓｍｏｄｉｕｍ  ｖｉｖａｘ（Ｐ．ｖｉｖａｘ）、またはＰｌａｓｍｏｄｉｕｍ  ｍａｌａｒｉａｅ（Ｐ．ｍａｌａｒｉａｅ）である、請求項１６〜１８のいずれか一項に記載の遺伝子改変免疫不全非ヒト動物。
【請求項２０】
前記ヒト赤血球が、個々のヒトまたはヒト個体の集団に由来しており、前記個々のヒトまたはヒト個体の集団が鎌状赤血球貧血を有する、請求項１〜１５のいずれか一項に記載の遺伝子改変免疫不全非ヒト動物。
【請求項２１】
想定される治療剤の効果をアッセイする方法であって、
請求項１３〜２０のいずれか一項に記載のヒト赤血球を含む遺伝子改変免疫不全非ヒト動物に、所定量の前記想定される治療剤を投与するステップ、および前記想定される治療剤の効果を測定するステップ
を包含する、方法。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
ヒトＣＴＬＡ−４に結合する抗体またはその抗原結合断片であって、ａ〜ｆで定義されるポリペプチド配列のそれぞれを含み、前記抗体またはその抗原結合断片：
ａ．配列番号１のアミノ酸配列を含む、重鎖可変領域ＣＤＲ１；
ｂ．配列番号２のアミノ酸配列を含む、重鎖可変領域ＣＤＲ２；
ｃ．配列番号３のアミノ酸配列を含む、重鎖可変領域ＣＤＲ３；
ｄ．配列番号４のアミノ酸配列を含む、軽鎖可変領域ＣＤＲ１；
ｅ．配列番号５のアミノ酸配列を含む、軽鎖可変領域ＣＤＲ２、及び
ｆ．配列番号６のアミノ酸配列を含む、軽鎖可変領域ＣＤＲ３。
【請求項２】
以下からなる群から選択される、軽鎖免疫グロブリン、重鎖免疫グロブリン、または軽鎖及び重鎖両方の免疫グロブリンを含む、ヒトＣＴＬＡ−４に結合する抗体またはその抗原結合断片：
ａ．配列番号７のアミノ酸配列を含む可変重鎖、及び配列番号８のアミノ酸配列を含む可変軽鎖を含む、抗体またはその抗原結合断片；
ｂ．配列番号１０、１２、１４、１６、１８、もしくは２０のアミノ酸配列を含む可変重鎖、及び配列番号２２、２４、２６、または３０のアミノ酸配列を含む可変軽鎖を含む、抗体またはその抗原結合断片；
ｃ．配列番号１０、１２、１４、１６、１８、もしくは２０のいずれか１つに対し少なくとも９０％、９５％、９６％、９７％、９８％、もしくは９９％の同一性を備える可変重鎖、及び配列番号２２、２４、２６、もしくは３０のいずれか１つに対し少なくとも９０％、９５％、９６％、９７％、９８％、もしくは９９％の同一性を備える可変軽鎖を含む、抗体またはその抗原結合断片；
ｄ．配列番号１０、１２、１４、１６、１８、もしくは２０のいずれか１つに対し少なくとも９０％、９５％、９６％、９７％、９８％、もしくは９９％の同一性を備える可変重鎖、及び配列番号２２、２４、２６、もしくは３０のいずれか１つに対し少なくとも９０％、９５％、９５％、９６％、９７％、９８％、または９９％の同一性を備える可変軽鎖を含む抗体もしくはその抗原結合断片であって、任意の配列バリエーションが、前記抗体またはその抗原結合断片のフレームワーク領域内で生じる、前記抗体またはその抗原結合断片；
ｅ．配列番号１０、１２、１４、１６、１８、もしくは２０のいずれか１つについて１、２、３、４、５、６、７、８、９、もしくは１０のアミノ酸置換を含む可変重鎖、及び配列番号２２、２４、２６、もしくは３０のいずれか１つについて１、２、３、４、５、６、７、８、９、もしくは１０のアミノ酸置換を含む可変軽鎖を含む、抗体またはその抗原結合断片；ならびに
ｆ．配列番号１０、１２、１４、１６、１８、もしくは２０のいずれか１つについて１、２、３、４、５、６、７、８、９、もしくは１０のアミノ酸置換を含む可変重鎖、及び配列番号２２、２４、２６、もしくは３０のいずれか１つについて１、２、３、４、５、６、７、８、９、もしくは１０のアミノ酸置換を含む可変軽鎖を含む抗体またはその抗原結合断片であって、任意の前記置換が、前記抗体またはその抗原結合断片のフレームワーク領域内で生じる、前記抗体またはその抗原結合断片。
【請求項３】
前記抗体またはその抗原結合断片が、以下の特徴の１、２、３、または４つ全てを有する、請求項２に記載の抗体またはその抗原結合断片：
ｉ．ヒトＣＴＬＡ−４に対し、２０ｎＭ未満と測定されるＥＣ５０値で結合する；
ｉｉ．ｈＣＤ８０に対するｈＣＴＬＡ−４の結合を、約１００ｎＭ以下のＩＣ５０でブロックする；
ｉｉｉ．ｈＣＤ８６に対するｈＣＴＬＡ−４の結合を、約１００ｎＭ以下のＩＣ５０でブロックする；
ｉｖ．イピリムマブまたはトレメリムマブとは異なるＣＴＬＡ−４エピトープに結合する。
【請求項４】
ヒトＣＴＬＡ−４のエピトープに結合する抗体またはその抗原結合断片であって、配列番号４４のマウス−ヒトキメラＣＴＬＡ−４分子に結合しない、前記抗体またはその抗原結合断片。
【請求項５】
配列番号７の可変重鎖及び配列番号８の可変軽鎖を含む抗体と同じヒトＣＴＬＡ−４のエピトープに結合する抗体またはその抗原結合断片であって、配列番号４４のマウス−ヒトキメラＣＴＬＡ−４分子に結合せず、かつ以下の特徴の少なくとも１つを有する、前記抗体またはその抗原結合断片：
ａ．ヒトＣＴＬＡ−４に対し、２０ｎＭ未満と測定されるＥＣ５０値で結合する；
ｂ．ｈＣＤ８０に対するｈＣＴＬＡ−４の結合を、約１００ｎＭ以下のＩＣ５０でブロックする；
ｃ．ｈＣＤ８６に対するｈＣＴＬＡ−４の結合を、約１００ｎＭ以下のＩＣ５０でブロックする；
ｄ．イピリムマブまたはトレメリムマブとは異なるＣＴＬＡ−４エピトープに結合する。
【請求項６】
ヒトＣＴＬＡ−４に結合する抗体またはその抗原結合断片であって、ＳＦＶＣＥＹＡＳＰＧＫＡＴ（配列番号５３）の少なくとも８つの連続した残基を含むヒトＣＴＬＡ−４のエピトープに結合する、前記抗体またはその抗原結合断片。
【請求項７】
前記エピトープがＳＦＶＣＥＹＡＳＰＧＫＡＴ（配列番号５３）からなる、請求項６に記載の抗体またはその抗原結合断片。
【請求項８】
ヒトＣＴＬＡ−４に結合する抗体またはその抗原結合断片であって、配列ＳＦＶＣＥＹＡＳＰＧＫＡＴ（配列番号５３）内のヒトＣＴＬＡ−４における１つ以上の変異が、ヒトＣＴＬＡ４に対する前記抗体の結合を防止する、前記抗体またはその抗原結合断片。
【請求項９】
ヒトＣＴＬＡ−４に対する結合において抗体ｈＣＴＬＡ４．２７Ａと競合する、抗体またはその抗原結合断片。
【請求項１０】
２つの重鎖及び２つの軽鎖を含むヒト化抗体である、請求項１〜１０のいずれかに記載の抗体または抗原結合断片。
【請求項１１】
配列番号１〜８、１０、１２、１４、１６、１８、２０、２２、２４、２６、または３０のいずれか１つのアミノ酸配列を含む、単離されたポリペプチド。
【請求項１２】
請求項１〜１０に記載のいずれか１つの抗体もしくは抗原結合断片または請求項１１に記載のいずれか１つのポリペプチドをコードする、単離された核酸。
【請求項１３】
請求項１２に記載の単離された核酸を含む、発現ベクター。
【請求項１４】
請求項１〜１３のいずれかに記載の抗体、結合断片、ポリペプチド、ポリヌクレオチド、または発現ベクターを含む、宿主細胞。
【請求項１５】
Ｐｉｃｈｉａ細胞またはチャイニーズハムスター卵巣細胞である、請求項１４に記載の宿主細胞。
【請求項１６】
請求項１〜１０のいずれか１項に記載の抗体または抗原結合断片と、医薬的に許容される担体、希釈剤、賦形剤、または安定化剤とを含む、組成物。
【請求項１７】
対象におけるがんを処置する方法に用いるための請求項１６に記載の組成物であって、当該方法は、それを必要とする対象に、有効量の、前記組成物を投与することを含み、ここにおいて前記がんは、肺癌、黒色腫、腎臓癌、肝臓癌、骨髄腫、前立腺癌、乳癌、結腸直腸癌、胃癌、膵臓癌、甲状腺癌、血液癌、リンパ腫、骨髄腫、もしくは白血病、または前記がんの転移病変からなる群から選択される、組成物。
【請求項１８】
対象における免疫細胞の活性を増大させる方法に用いるための請求項１６に記載の組成物であって、前記方法は、それを必要とする対象に、有効量の前記組成物を投与することを含む、組成物。
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
ａ）制御ユニット（１１）と、
ｂ）電気音響変換器（１２）と、
を含む携帯型注入装置（１）であって、
前記制御ユニット（１１）は、
・前記電気音響変換器（１２）をノイズエミッタとして動作させる、
・または前記電気音響変換器（１２）をノイズレシーバとして動作させ、前記電気音響変換器（１２）により受信される受信ノイズから前記携帯型注入装置（１）の状態を判定する
ように構成される、携帯型注入装置（１）。
【請求項２】
前記電気音響変換器（１２）とは別個である、追加の電気音響変換器（１２ａ）を含み、前記制御ユニット（１１）は、前記追加の電気音響変換器（１２ａ）を追加のノイズエミッタとして動作させるように構成される、請求項１記載の携帯型注入装置（１）。
【請求項３】
前記制御ユニット（１１）は、前記追加の電気音響変換器（１２ａ）を、ノイズエミッタとして、追加の放出ノイズを発するように動作させながら、前記電気音響変換器（１２）をノイズレシーバとして同時に動作させるように構成され、前記受信ノイズから前記携帯型注入装置（１）の状態を判定することは、前記受信ノイズが前記追加の放出ノイズに一致するかどうか判定することを含む、請求項２記載の携帯型注入装置（１）。
【請求項４】
前記制御ユニット（１１）は、前記追加の電気音響変換器（１２ａ）をノイズレシーバとして動作させ、前記追加の電気音響変換器（１２ａ）によって受信される追加の受信ノイズから、前記携帯型注入装置（１）の追加の状態を判定するように構成され、
前記制御ユニット（１１）は、前記追加の電気音響変換器（１２ａ）をノイズレシーバとして動作させながら、前記電気音響変換器（１２）をノイズエミッタとして、放出ノイズを発するように同時に動作させるようにさらに構成され、前記携帯型注入装置（１）の前記追加の状態を判定することは、前記追加の受信ノイズが前記放出ノイズに一致するかどうかを判定することを含む、請求項２または３記載の携帯型注入装置（１）。
【請求項５】
前記制御ユニットは、前記電気音響変換器（１２）および前記追加の電気音響変換器（１２ａ）の両方を音響ノイズエミッタとして同時に動作させ、前記電気音響変換器（１２）および前記追加の電気音響変換器（１２ａ）の両方を共通して作動させるように構成される、請求項２〜４のいずれか１項に記載の携帯型注入装置（１）。
【請求項６】
前記制御ユニット（１１）は、前記電気音響変換器（１２）および前記追加の電気音響変換器（１２ａ）の両方を同調的に作動させるように構成される、請求項５記載の携帯型注入装置（１）。
【請求項７】
前記制御ユニット（１１）は、薬剤投与を制御するように構成され、それによって前記携帯型注入装置（１）は動作ノイズを発し、前記携帯型注入装置（１）の動作状態を判定することは、前記動作ノイズを評価することを含む、請求項１〜６のいずれか１項に記載の携帯型注入装置（１）。
【請求項８】
前記動作ノイズを評価することは、動作ノイズが予測される動作ノイズに一致するかどうかを判定することを含む、請求項７記載の携帯型注入装置（１）。
【請求項９】
前記動作ノイズを評価することは、前記動作ノイズが、注入路の流体妨害物の存在を示すかどうかを判定することを含む、請求項７または８記載の携帯型注入装置（１）。
【請求項１０】
前記動作ノイズを評価することは、前記動作ノイズが欠陥の存在を示すかどうかを判定することを含む、請求項７〜９のいずれか１項に記載の携帯型注入装置（１）。
【請求項１１】
前記携帯型注入装置（１）は、電気駆動装置（１４）を含み、前記動作ノイズは、前記電気駆動装置（１４）によって放出される駆動ノイズを含む、請求項７〜１０のいずれか１項に記載の携帯型注入装置（１）。
【請求項１２】
前記動作ノイズは、バルブ切り替えノイズを含む、請求項７〜１１のいずれか１項に記載の携帯型注入装置（１）。
【請求項１３】
前記携帯型注入装置（１）の前記状態を判定することは、機械的衝撃の発生を検出することを含む、請求項１〜１２のいずれか１項に記載の携帯型注入装置（１）。
【請求項１４】
携帯型注入装置（１）の一部である電気音響変換器（１２）を動作させる方法であって、前記方法は、
ａ）前記電気音響変換器（１２）を、放出ノイズを発するように、ノイズエミッタとして動作させること、または
ｂ）前記電気音響変換器（１２）をノイズレシーバとして動作させ、前記電気音響変換器（１２）によって受信される受信ノイズから前記携帯型注入装置（１）の状態を判定すること、
を含む、方法。
【請求項１５】
前記方法は、
前記電気音響変換器（１２）とは別個である追加の電気音響変換器（１２ａ）をノイズエミッタとして動作させ、前記電気音響変換器（１２）をノイズレシーバとして同時に動作させることを含み、前記受信ノイズから前記携帯型注入装置（１）の前記状態を判定することは、前記受信ノイズが、前記追加の電気音響変換器（１２ａ）により放出される、追加の放出ノイズに一致するかどうかを判定することを含む、請求項１４記載の方法。
【請求項１６】
前記方法は、前記電気音響変換器（１２）および前記追加の電気音響変換器（１２ａ）の両方を、音響ノイズエミッタとして同時に動作させ、前記電気音響変換器（１２）および前記追加の電気音響変換器（１２ａ）の両方を共通に作動させることを含む、請求項１５記載の方法。
【請求項１７】
前記方法は、前記電気音響変換器（１２）および前記追加の電気音響変換器（１２ａ）の両方を同調的に作動させることを含む、請求項１６記載の方法。
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
パーソナルケア装置のための駆動トレインアセンブリであって、
第１の端部マウントと第２の端部マウントとの間に懸架されたねじりばねを有し、前記ねじりばねは、前記第１の端部マウントに取り付けられた第１の端部と前記第２の端部マウントに取り付けられた第２の端部とを有し、前記ねじりばねの前記第１及び第２の端部は、交差たわみばねヒンジをそれぞれ有する、駆動トレインアセンブリ。
【請求項２】
前記第１の端部マウントが、モータと係合するように構成される、請求項１記載の駆動トレインアセンブリ。
【請求項３】
前記第２の端部マウントが、アタッチメントの接続のための駆動シャフトと係合するように構成される、請求項１記載の駆動トレインアセンブリ。
【請求項４】
前記Ｘ字型交差たわみばねヒンジのそれぞれがＸ字型であり、前記ねじりばねから外側へ延在している２つのばねヒンジリーフレットを有する、請求項１記載の駆動トレインアセンブリ。
【請求項５】
前記ねじりばねが、長手方向に沿ってＶ字型である、請求項１記載の駆動トレインアセンブリ。
【請求項６】
前記第１の端部マウントにおける第１の支持構造であって、前記ねじりばねの前記第１の端部が前記第１の支持構造に取り付けられる前記第１の支持構造と、
前記第２の端部マウントにおける第２の支持構造であって、前記ねじりばねの前記第２の端部が前記第２の支持構造に取り付けられる前記第２の支持構造と、
を更に有する、請求項１記載の駆動トレインアセンブリ。
【請求項７】
前記ねじりばねの前記第１の端部が、前記第１の支持構造に溶接されており、前記ねじりばねの前記第２の端部が、前記第２の支持構造に溶接されている、請求項６記載の駆動トレインアセンブリ。
【請求項８】
パーソナルケア装置のための駆動トレインアセンブリであって、
モータと連絡するように構成された第１の端部マウントと、
アタッチメントの接続のための駆動シャフトと連絡するように構成された第２の端部マウントと、
前記第１の端部マウントと前記第２の端部マウントとの間に懸架されるとともに、前記第１の端部マウントに取り付けられた第１の端部と前記第２の端部マウントに取り付けられた第２の端部とを有する、ねじりばねと、
前記第１の端部マウントにおける第１の支持構造であって、前記ねじりばねの前記第１の端部が前記第１の支持構造に取り付けられる前記第１の支持構造と、
前記第２の端部マウントにおける第２の支持構造であって、前記ねじりばねの前記第２の端部が前記第２の支持構造に取り付けられる前記第２の支持構造と、
前記ねじりばねの前記第１の端部上の第１の交差たわみばねヒンジと、
前記ねじりばねの前記第２の端部上の第２の交差たわみばねヒンジと、
を有し、
前記第１の交差たわみばねヒンジ及び前記第２の交差たわみばねヒンジの各々が、前記各ねじりばねから外側へ延在している２つのばねヒンジリーフレットを有する、駆動トレインアセンブリ。
【請求項９】
前記ねじりばねが、Ｖ字型である、請求項８記載の駆動トレインアセンブリ。
【請求項１０】
パーソナルケア装置であって、
ハウジングと、
第１の端部マウントと第２の端部マウントとの間に懸架されるねじりばねを有する駆動トレインアセンブリと、
を有し、
前記ねじりばねは、前記第１の端部マウントに取り付けられた第１の端部と前記第２の端部マウントに取り付けられた第２の端部とを有し、
前記ねじりばねの前記第１及び第２の端部は、交差たわみばねヒンジをそれぞれ有する、パーソナルケア装置。
【請求項１１】
前記第１の端部マウントが、モータと係合するように構成される、請求項１０記載のパーソナルケア装置。
【請求項１２】
前記第２の端部マウントが、アタッチメントの接続のための駆動シャフトと係合するように構成される、請求項１０記載のパーソナルケア装置。
【請求項１３】
前記交差たわみばねヒンジの各々が、前記ねじりばねから外側へ延在している２つのばねリーフレットを有する、請求項１０記載のパーソナルケア装置。
【請求項１４】
前記第１の端部マウントにおける第１の支持構造であって、前記ねじりばねの前記第１の端部が前記第１の支持構造に取り付けられる前記第１の支持構造と、
前記第２の端部マウントにおける第２の支持構造であって、前記ねじりばねの前記第２の端部が前記第２の支持構造に取り付けられる前記第２の支持構造と、
を更に有する、請求項１０記載のパーソナルケア装置。
【請求項１５】
前記ねじりばねが、Ｖ字型である、請求項１０記載のパーソナルケア装置。
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
i.インスリン抗原;
ii.TGF-β;
iii.IL-10
をコードするプラスミドであって、インターロイキン-2(IL-2)を更に同時発現するプラスミド。
【請求項２】
前記インスリン抗原がプロインスリン、プレプロインスリン、及びそれらの機能性又は免疫優性ペプチド断片からなる群から選択される、請求項1に記載のプラスミド。
【請求項３】
前記インスリン抗原がエンドソーム標的化インスリンである、請求項1又は2に記載のプラスミド。
【請求項４】
前記プラスミドがIL-10よりも少なくとも1/2未満の量でインスリン抗原及びTGF-βを発現する、請求項1から3のいずれか一項に記載のプラスミド。
【請求項５】
前記プラスミドが、(i)インスリン抗原コード配列とTGF-βコード配列を分離するFMDV 2Aエレメント、(ii)TGF-βコード配列とIL-10コード配列を分離するEMCV IRESエレメント、及び(iii)IL-10コード配列とIL-2コード配列を分離する2Aエレメント、を含む、請求項1から4のいずれか一項に記載のプラスミド。
【請求項６】
TGF-βコード配列が構成的に活性なTGF-βをコードする、請求項1から5のいずれか一項に記載のプラスミド。
【請求項７】
前記プラスミドが、(i)エンドソーム標的化プレプロインスリンコード配列、(ii)FMDV 2Aエレメント、(iii)TGF-βコード配列、(iv)EMCV IRESエレメント、(v)IL-10コード配列、(vi)P 2Aエレメント、(vii)IL-2コード配列、(viii)ポリアデニル化/終止エレメント、(ix)セレクション遺伝子、(x)複製起点、(xi)真核生物プロモーターエレメント、(xii)真核生物翻訳開始配列、(xiii)エンドソーム選別配列、及び(xiv)任意選択でイントロン、を含む、請求項1から6のいずれか一項に記載のプラスミド。
【請求項８】
請求項1から7のいずれか一項に記載のプラスミドを含むDNA免疫療法ワクチン。
【請求項９】
請求項8に記載のDNA免疫療法ワクチン、又は請求項1から7のいずれか一項に記載のプラスミドを含む、I型糖尿病の遅延又は予防用組成物。
【請求項１０】
請求項8に記載のDNA免疫療法ワクチン、又は請求項1から7のいずれか一項に記載のプラスミドを含む、皮下投与のための組成物。
【請求項１１】
請求項8に記載のDNA免疫療法ワクチン、又は請求項1から7のいずれか一項に記載のプラスミドを含む、筋肉内投与のための組成物。
【請求項１２】
請求項8に記載のDNA免疫療法ワクチンを含む、又は請求項1から7のいずれか一項に記載のプラスミドを含む医薬組成物であって、食塩水及び/又は緩衝液及び/又はキレート剤を含む医薬組成物。
【請求項１３】
前記緩衝液がいかなるウイルス、脂質同時パッケージング剤、又は縮合剤も含まない、請求項12に記載の医薬組成物。
【請求項１４】
GLP-1Rアゴニストを更に含む、請求項12又は13に記載の医薬組成物。
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
被験体において精巣上皮内腫瘍（TIN）を検出する方法であって、該方法は、該被験体に由来する生体試料中のmiR-371a-3pの発現レベルを測定することを含み、ここで、前記miR-371a-3pの発現レベルが前記被験体におけるTINの有無の指標である、方法。
【請求項２】
前記方法は、
（i）前記生体試料から単離／取得されたcDNAを含むバッチAを準備する工程であって、
ここで、工程（i）が、
（ia）前記生体試料からRNAを単離する工程と、
（ib）工程（ia）で単離された前記RNAをcDNAに変換し、それにより前記cDNAを含むバッチAを準備する工程と、
を含む、工程と、
（ii）工程（i）において準備されたバッチAの3つ以上のアリコートを準備して、該3つ以上のアリコートのそれぞれを用いて独立したポリメラーゼ連鎖反応（PCR）を実施することで、miR-371a-3pを増幅させ、それにより前記増幅されたmiR-371a-3pを含む3つ以上のバッチBを準備する工程と、
（iii）等量の前記3つ以上のバッチBを混合し、それによりバッチCを準備して、PCRベースのアプローチによってバッチCにおけるmiR-371a-3pのレベルを測定する工程であって、ここで、工程（iii）で測定された前記レベルが前記生体試料中のmiR-371a-3pの発現レベルに相当する、工程と、
を含む、請求項1に記載の方法。
【請求項３】
前記方法は、
（i）前記生体試料から単離／取得されたcDNAを含むバッチAを準備する工程であって、
ここで、工程（i）が、
（ia）前記生体試料からRNAを単離する工程と、
（ib）工程（ia）で単離された前記RNAをcDNAに変換し、それにより前記cDNAを含むバッチAを準備する工程と、
を含む、工程と、
（ii）工程（i）で準備されたバッチAの3つ以上のアリコートを準備して、該3つ以上のアリコートのそれぞれを用いて独立したポリメラーゼ連鎖反応（PCR）を実施することで、miR-371a-3pを増幅させ、それにより前記増幅されたmiR-371a-3pを含む3つ以上のバッチBを準備する工程と、
（iii）PCRベースのアプローチによって前記3つ以上のバッチBのそれぞれにおけるmiR-371a-3pのレベルを測定し、前記PCRベースのアプローチによって測定されたmiR-371a-3pの3つ以上のレベルの平均値を計算する工程であって、
ここで、工程（iii）で計算された前記平均値が前記生体試料中のmiR-371a-3pの発現レベルに相当する、工程と、
を含む、請求項1に記載の方法。
【請求項４】
対照と比較して増加しているmiR-371a-3pの発現レベルは、前記被験体におけるTINの存在の指標である、請求項1〜3のいずれか一項に記載の方法。
【請求項５】
予め決定されたカットオフ値より高いmiR-371a-3pの発現レベルは、前記被験体におけるTINの存在の指標である、請求項1〜3のいずれか一項に記載の方法。
【請求項６】
前記生体試料は、体液、組織、細胞、細胞溶解物及び細胞培養上清からなる群から選択される、請求項1〜5のいずれか一項に記載の方法。
【請求項７】
前記体液は、血清、血漿、精漿、水瘤液、精液瘤液、全血、尿、羊水、滲出液、痰、唾液及び脳脊髄液からなる群から選択される、請求項6に記載の方法。
【請求項８】
前記体液は血清である、請求項7に記載の方法。
【請求項９】
前記組織は、天然組織、急速凍結された組織及びホルマリン固定パラフィン包埋（FFPE）された組織からなる群から選択される、請求項6に記載の方法。
【請求項１０】
工程（ii）において、バッチAの3つのアリコートを準備する、請求項1〜9のいずれか一項に記載の方法。
【請求項１１】
前記PCRベースのアプローチは、定量的リアルタイムPCR（qRT-PCR）又はデジタルPCR（dPCR）である、請求項1〜10のいずれか一項に記載の方法。
【請求項１２】
精巣上皮内腫瘍（TIN）の検出用の薬剤を製造するための、バイオマーカーとしてのmiR-371a-3pの使用。
【請求項１３】
miR-371a-3pは、血清に基づくバイオマーカーとして使用される、請求項12に記載の使用。
【請求項１４】
精巣上皮内腫瘍（TIN）の検出用の薬剤を製造するための、少なくとも1つのmiR-371a-3p特異的プライマー及び／又はmiR-371a-3p特異的プローブの使用。
【請求項１５】
精巣上皮内腫瘍（TIN）の検出用の薬剤を製造するための、少なくとも1つのmiR-371a-3p特異的プライマー及び／又はmiR-371a-3p特異的プローブを備えるキットの使用。